(57)【要約】【課題】装飾部材の移動中に可動機構が動作不能となった場合でも、メータパネルの情報をディスプレイに分かりやすく表示できる「可動機構付きメータパネルの表示制御装置および表示制御方法」を提供する。【解決手段】液晶ディスプレイ１１の前面にて装飾リング１２を物理的に移動させる可動機構の異常停止を検出する異常検出部２５と、可動機構の異常発生が検出された場合に、装飾リング１２の停止位置から装飾リング１２と重畳しない液晶ディスプレイ１１上の表示位置である非重畳表示位置を検出する非重畳表示位置検出部２７と、当該非重畳表示位置に対して情報を表示させる表示制御部２４とを備え、装飾リング１２の移動中に可動機構が動作不能となった場合でも、想定外の位置で停止した装飾リング１２と重畳しない液晶ディスプレイ１１上の位置にメータパネルの情報が表示されるようにする。【選択図】図１
2014109541.tif 000002
【特許請求の範囲】
【請求項１】
ディスプレイと、当該ディスプレイの前面にて物理的に移動する装飾部材と、当該装飾部材を移動させる可動機構とを備えたメータパネルの上記ディスプレイに対する情報の表示制御を行う表示制御装置であって、
上記可動機構の異常停止を検出する異常検出部と、
上記異常検出部により上記可動機構の異常停止が検出された場合、上記装飾部材の停止位置を検出する停止位置検出部と、
上記異常検出部により上記可動機構の異常停止が検出された場合、上記停止位置検出部により検出された上記装飾部材の停止位置に基づいて、上記装飾部材と重畳しない上記ディスプレイ上の表示位置である非重畳表示位置を検出する非重畳表示位置検出部と、
上記異常検出部により上記可動機構の異常停止が検出された場合、上記非重畳表示位置検出部により検出された上記非重畳表示位置に対して上記情報を表示させるように制御する表示制御部とを備えたことを特徴とする可動機構付きメータパネルの表示制御装置。
【請求項２】
上記表示制御部は、上記可動機構の異常停止が発生していないときに上記ディスプレイに通常表示される複数の情報のうち、あらかじめ定められた一部の情報を上記非重畳表示位置に表示させるように制御することを特徴とする請求項１に記載の可動機構付きメータパネルの表示制御装置。
【請求項３】
上記表示制御部が上記非重畳表示位置に表示させる上記一部の情報は、走行速度の情報であることを特徴とする請求項２に記載の可動機構付きメータパネルの表示制御装置。
【請求項４】
上記表示制御部が上記非重畳表示位置に表示させる上記一部の情報は、シフトポジションの情報であることを特徴とする請求項２に記載の可動機構付きメータパネルの表示制御装置。
【請求項５】
上記表示制御部が上記非重畳表示位置に表示させる上記一部の情報は、警告灯の情報であることを特徴とする請求項２に記載の可動機構付きメータパネルの表示制御装置。
【請求項６】
上記非重畳表示位置検出部は、上記非重畳表示位置での表示可能面積を更に検出し、
上記表示制御部は、上記非重畳表示位置検出部により検出された上記非重畳表示位置の上記表示可能面積内に上記情報を表示させるように制御することを特徴とする請求項１に記載の可動機構付きメータパネルの表示制御装置。
【請求項７】
上記表示制御部は、上記可動機構の異常停止が発生していないときに通常表示される態様とは異なる態様に上記情報の表示態様を変えて表示させるように制御することを特徴とする請求項６に記載の可動機構付きメータパネルの表示制御装置。
【請求項８】
上記表示制御部が上記非重畳表示位置に表示させる上記情報は、走行速度の情報、シフトポジションの情報、警告灯の情報のうち少なくとも１つを含み、
上記表示制御部は、上記可動機構の異常停止が発生していないときに通常の態様で表示される上記情報を、上記走行速度の情報の場合は該当速度のみ、上記シフトポジションの情報の場合は該当ポジションのみ、上記警告灯の情報の場合は該当警告のみの情報として上記表示可能面積内に表示させるように制御することを特徴とする請求項７に記載の可動機構付きメータパネルの表示制御装置。
【請求項９】
ディスプレイと、当該ディスプレイの前面にて物理的に移動する装飾部材と、当該装飾部材を移動させる可動機構とを備えたメータパネルの上記ディスプレイに対する情報の表示制御を行う表示制御方法であって、
コンピュータの異常検出部が、上記可動機構の異常停止を検出する第１のステップと、
上記コンピュータの停止位置検出部が、上記異常検出部により上記可動機構の異常停止が検出された場合に上記装飾部材の停止位置を検出する第２のステップと、
上記コンピュータの非重畳表示位置検出部が、上記異常検出部により上記可動機構の異常停止が検出された場合に上記停止位置検出部により検出された上記装飾部材の停止位置に基づいて、上記装飾部材と重畳しない上記ディスプレイ上の表示位置である非重畳表示位置を検出する第３のステップと、
上記コンピュータの表示制御部が、上記異常検出部により上記可動機構の異常停止が検出された場合に上記非重畳表示位置検出部により検出された上記非重畳表示位置に対して上記情報を表示させるように制御する第４のステップとを有することを特徴とする可動機構付きメータパネルの表示制御方法。
【発明の詳細な説明】
【技術分野】
【０００１】
本発明は、可動機構付きメータパネルの表示制御装置および表示制御方法に関し、特に、ディスプレイの前面において装飾部材を物理的に移動させる可動機構を備えたメータパネルの表示制御装置に用いて好適なものである。
【背景技術】
【０００２】
従来、ダッシュボードに組み付けられたメータパネルを液晶ディスプレイにより構成した車両が存在する。この種のメータパネルには、走行速度、エンジン回転数、燃料の残量といった車両の走行に必要なメータ情報のほかに、シフトポジションを表す情報や、重要機器が故障した場合に点灯する警告灯などが表示される。また、ナビゲーション装置やオーディオ装置に関する情報が表示されるようになされたメータパネルも存在する。
【０００３】
また、最近のメータパネルの中には、液晶ディスプレイの前面に装飾リングを配置し、液晶ディスプレイの表示状態に応じて装飾リングを物理的に移動させる可動機構を持ったものも存在する。
【０００４】
例えば、図４（ａ）に示すように、車両のアクセサリスイッチ（ＡＣＣ）がオフで液晶ディスプレイ１１が非表示のときは、２つの装飾リング１２を液晶ディスプレイ１１の中央に重ねておく。そして、ＡＣＣがオンにされて液晶ディスプレイ１１にメータ情報などが表示されたときに、図４（ｂ）→（ｃ）のように２つの装飾リング１２を左右に分かれるように移動させ、液晶ディスプレイ１１の左右両側に表示させた２つのメータ情報の位置でそれぞれの装飾リング１２を停止させるようにする。また、ＡＣＣをオンからオフに切り替えると、図４（ｃ）→（ｂ）→（ａ）のように装飾リング１２は逆の動きをする。
【０００５】
ところが、上記のような可動機構を持つメータパネルにおいて、装飾リング１２の移動中に何らかの不具合により可動機構が動作不能となった場合、装飾リング１２の停止位置によっては、液晶ディスプレイ１１に表示されているメータパネルの情報が装飾リング１２に隠されて見えなくなってしまうことがあるという問題があった。例えば、図４（ｂ）に示すような位置で装飾リング１２が停止してしまうと、メータ情報の一部、シフトポジションの情報、警告灯の表示が見難くなってしまう。
【０００６】
なお、液晶ディスプレイから成る表示器と、当該表示器の前方に配置された実体メータと、実体メータを移動させる移動機構とを備え、実体メータが第１の位置から第２の位置へ、あるいは、第２の位置から第１の位置へ移動中に、何らかの原因により移動機構の動作状態が異常となった場合に、表示器で速度表示を行うようにした車両用表示装置も提案されている（例えば、特許文献１参照）。
【０００７】
また、アナログ式の２つの計器（速度計および回転計）の間にディスプレイを設け、当該ディスプレイの左側半分または右側半分の何れのデータ量が多いかに応じて、２つの計器のうち何れか一方をディスプレイの斜め後方に移動させることにより、ディスプレイの視認性を向上させるようにした可動式メータが提案されている（例えば、特許文献２参照）。
【先行技術文献】
【特許文献】
【０００８】
【特許文献１】特開２００９−５２９２３号公報
【特許文献２】特開２０１０−１９０６０６号公報
【発明の概要】
【発明が解決しようとする課題】
【０００９】
上記特許文献１に記載の技術は、何らかの原因により移動機構が異常を起こして実体メータが停止した場合に、実体メータの代わりにディスプレイで速度表示を行うものであり、ディスプレイの視認性を向上させるものではない。一方、上記特許文献２に記載の技術は、ディスプレイの視認性を向上させることを目的としたものであるが、ディスプレイの左右領域のデータ量に応じて計器を移動させるものであり、計器が移動不能となった場合の問題解決策ではない。したがって、特許文献１，２の何れの技術を用いても、装飾リングの移動中に可動機構が動作不能となった場合にディスプレイの表示が見難くなってしまうという問題を解決することはできない。
【００１０】
本発明は、このような問題を解決するために成されたものであり、装飾部材の移動中に可動機構が動作不能となった場合でも、メータパネルの情報をディスプレイに分かりやすく表示できるようにすることを目的とする。
【課題を解決するための手段】
【００１１】
上記した課題を解決するために、本発明では、ディスプレイの前面にて装飾部材を物理的に移動させる可動機構の異常停止を検出した場合に、装飾部材の停止位置から、装飾部材と重畳しないディスプレイ上の表示位置である非重畳表示位置を検出し、当該非重畳表示位置に対してメータパネルの情報を表示させるようにしている。
【発明の効果】
【００１２】
上記のように構成した本発明によれば、装飾部材の移動中に可動機構が動作不能となった場合でも、想定外の位置で停止した装飾部材と重畳しないディスプレイ上の位置にメータパネルの情報が表示されるので、当該情報が装飾部材に隠されて見えなくなってしまう不都合を回避し、メータパネルの情報をディスプレイに分かりやすく表示させることができる。
【図面の簡単な説明】
【００１３】
【図１】本実施形態による可動機構付きメータパネルの表示制御装置を備えた表示システムの構成例を示す図である。
【図２】可動機構の異常発生時における液晶ディスプレイの表示例を示す図である。
【図３】本実施形態による表示制御装置の動作例を示すフローチャートである。
【図４】装飾リングの移動例を示す図である。
【発明を実施するための形態】
【００１４】
以下、本発明の一実施形態を図面に基づいて説明する。図１は、本実施形態による可動機構付きメータパネルの表示制御装置を備えた表示システムの構成例を示す図である。図１に示すように、本実施形態の表示システムは、可動機構付きメータパネル１０と、当該メータパネル１０が備える液晶ディスプレイ１１に対する情報の表示制御を行う表示制御装置２０とを備えて構成されている。
【００１５】
可動機構付きメータパネル１０は、液晶ディスプレイ１１と、当該液晶ディスプレイ１１の前面にて物理的に移動する２つの装飾リング１２と、当該装飾リング１２を移動させる可動機構としての駆動部１３とを備えている。装飾リング１２は、駆動部１３からの駆動信号を受けて、図４に示したのと同様に動作するものとする。
【００１６】
すなわち、車両のＡＣＣがオフで液晶ディスプレイ１１が非表示のときは、図４（ａ）のように２つの装飾リング１２を液晶ディスプレイ１１の中央（待機位置）に重ねておく。そして、ＡＣＣがオンにされて液晶ディスプレイ１１にメータ情報などが表示されたときに、駆動部１３が駆動信号を出力することにより、図４（ｂ）→（ｃ）のように２つの装飾リング１２を左右に分かれるように移動させる。そして、液晶ディスプレイ１１の左右両側に表示させた２つのメータ情報の位置（メータ位置）でそれぞれの装飾リング１２を停止させるようにする。このとき装飾リング１２は、駆動信号として正位相のパルスが１回出力される毎に、液晶ディスプレイ１１の中央から左右両側に向かって所定距離ずつ移動していく。
【００１７】
その後、ＡＣＣをオンからオフに切り替えると、駆動部１３が逆位相のパルスから成る駆動信号を出力することにより、図４（ｃ）→（ｂ）→（ａ）のように２つの装飾リング１２を両側のメータ位置から中央の待機位置に向かって移動させる。そして、待機位置でそれぞれの装飾リング１２を重ねて停止させるようにする。このとき装飾リング１２は、駆動信号として逆位相のパルスが１回出力される毎に、液晶ディスプレイ１１の左右両側から中央に向かって所定距離ずつ移動していく。
【００１８】
可動機構付きメータパネル１０は、図示しない位置センサを備えており、移動する装飾リング１２の位置を随時検出し、検出した位置情報を駆動部１３に随時送出するように成されている。例えば、メータパネル１０の位置センサは、駆動部１３から供給される駆動信号のパルスの位相を検出するとともに出力数をカウントすることにより、装飾リング１２が液晶ディスプレイ１１の中央から左右両側または左右両側から中央に向かってどの程度移動したかを把握し、その移動量に応じて装飾リング１２の現在位置を検出するようになされている。なお、ここで説明した装飾リング１２の位置の検出方法は単なる一例であり、これに限定されるものではない。
【００１９】
表示制御装置２０は、その機能構成として、表示情報入力部２１、正常時表示パターンデータ記憶部２２、異常時表示パターンデータ記憶部２３、表示制御部２４、異常検出部２５、停止位置検出部２６および非重畳表示位置検出部２７を備えている。
【００２０】
ここで、表示情報入力部２１、表示制御部２４、異常検出部２５、停止位置検出部２６および非重畳表示位置検出部２７の各機能は、ハードウェア構成、ＤＳＰ（Digital Signal Processor）、ソフトウェアの何れによっても実現することが可能である。例えばソフトウェアによって実現する場合、上記各機能は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。なお、当該プログラムは、ハードディスクや半導体メモリ等の他の記録媒体に記憶されていてもよい。
【００２１】
表示情報入力部２１は、車載ネットワークの１つであるＣＡＮ（Control Area Network）等を通じて各種の表示情報を入力する。表示情報入力部２１が入力する表示情報は、例えば、走行速度、エンジン回転数といった車両の走行に必要なメータ情報、シフトポジションを表す情報、重要機器の故障を知らせる警告情報、ナビゲーション装置から出力される走行案内情報である。
【００２２】
正常時表示パターンデータ記憶部２２は、メータパネル１０の可動機構が正常に動作しているときに、表示情報入力部２１により入力された表示情報を液晶ディスプレイ１１に表示させる際の表示パターンに関するデータを記憶している。この正常時の表示パターンデータに従って表示情報を表示させた状態は、図４に示した通りである。
【００２３】
例えば、走行速度とエンジン回転数のメータ情報に関しては、円形の物理的な実体メータを模したパターンデータが正常時表示パターンデータ記憶部２２に記憶されている。すなわち、このパターンデータは、円周に沿って複数の数字と目盛とを描画するとともに、表示情報入力部２１より入力した走行速度やエンジン回転数に応じた位置にインジケータを描画するようにしたものである。
【００２４】
また、シフトポジションの情報に関しては、全てのギアポジションを表す文字を並べて描画するとともに、表示情報入力部２１より入力したシフトポジションに対応する文字を強調して描画するようにしたパターンデータが正常時表示パターンデータ記憶部２２に記憶されている。
【００２５】
また、重要機器の故障を知らせる警告情報に関しては、個々の重要機器を表す警告灯を並べて描画するとともに、表示情報入力部２１より入力した警告情報に対応する警告灯を点灯させた状態で描画するようにしたパターンデータが正常時表示パターンデータ記憶部２２に記憶されている。
【００２６】
また、走行案内情報に関しては、所定サイズの矩形枠内に走行案内情報を描画するようにしたパターンデータが正常時表示パターンデータ記憶部２２に記憶されている。メータ情報、シフトポジション情報、警告情報、走行案内情報を液晶ディスプレイ１１に表示させるパターンデータは、液晶ディスプレイ１１のどの位置にどのサイズで表示させるかの位置・サイズ情報も含んでいる。
【００２７】
異常時表示パターンデータ記憶部２３は、メータパネル１０の可動機構に異常が発生して装飾リング１２が想定外の位置（待機位置およびメータ位置のどちらでもない位置）に停止してしまったときに、表示情報入力部２１により入力された表示情報を液晶ディスプレイ１１に表示させる際の表示パターンに関するデータを記憶している。異常時の表示パターンデータは、表示情報をどのサイズで表示させるかのサイズ情報を含んでいるが、液晶ディスプレイ１１のどの位置に表示情報を表示させるかの位置情報は含んでいない。なお、この異常時の表示パターンデータに従って液晶ディスプレイ１１に表示情報を表示させた状態については、詳細を後述する。
【００２８】
表示制御部２４は、正常時表示パターンデータ記憶部２２または異常時表示パターンデータ記憶部２３に記憶されている表示パターンデータに基づいて、表示情報入力部２１により入力される表示情報を可動機構付きメータパネル１０の液晶ディスプレイ１１に表示させる。
【００２９】
メータパネル１０の可動機構が正常に動作しているときの表示制御の内容については、図４に示した通りである。すなわち、表示制御部２４は、正常時の表示パターンデータに基づいて、液晶ディスプレイ１１の左右両側に走行速度とエンジン回転数のメータ情報４１，４２を大きく表示させ、両メータの間にシフトポジション情報４３、走行案内情報４４、警告灯４５を上から順に表示させる。一方、メータパネル１０の可動機構に異常が発生したときに表示制御部２４が行う表示制御の内容については、詳細を後述する。
【００３０】
異常検出部２５は、メータパネル１０の可動機構に異常停止が発生したことを検出する。例えば、異常検出部２５は、駆動部１３が駆動信号のパルスを出力したにもかかわらず位置情報の返信がなくなったときに、可動機構の異常停止が発生したことを検出する。また、異常検出部２５は、駆動部１３が駆動信号のパルスを何回出力しても、返信されてくる位置情報に変化がなくなったときに、可動機構の異常停止が発生したことを検出する。
【００３１】
停止位置検出部２６は、異常検出部２５により可動機構の異常停止が検出された場合、装飾リング１２の停止位置を検出する。例えば、駆動部１３が駆動信号を出力したにもかかわらず位置情報の返信がなくなったことを異常検出部２５が検出した場合は、返信がなくなる直前に送られてきた位置情報で示される位置において装飾リング１２が停止したと判定する。また、駆動部１３が駆動信号を何回出力しても、返信されてくる位置情報に変化がなくなったことを異常検出部２５が検出した場合は、変化がなくなった位置情報で示される位置において装飾リング１２が停止したと判定する。
【００３２】
非重畳表示位置検出部２７は、異常検出部２５により可動機構の異常停止が検出された場合に、停止位置検出部２６により検出された装飾リング１２の停止位置に基づいて、装飾リング１２と重畳しない液晶ディスプレイ１１上の表示位置である非重畳表示位置を検出する。また、非重畳表示位置検出部２７は、非重畳表示位置での表示可能面積もあわせて検出する。
【００３３】
例えば、装飾リング１２が図４（ｂ）に示す位置で停止したことが停止位置検出部２６により検出された場合、その停止位置にある装飾リング１２と重畳しない非重畳表示位置と表示可能面積とを検出する。液晶ディスプレイ１１のサイズと装飾リング１２のサイズおよび形状とは既知であるから、装飾リング１２の停止位置さえ分かれば、液晶ディスプレイ１１上の非重畳表示位置と表示可能面積は検出可能である。
【００３４】
上述の表示制御部２４は、異常検出部２５により可動機構の異常停止が検出された場合に、非重畳表示位置検出部２７により検出された非重畳表示位置の表示可能面積内に対して、異常時表示パターンデータ記憶部２３に記憶されている異常時の表示パターンデータに基づいて、表示情報入力部２１により入力された各種表示情報を表示させるように制御する。
【００３５】
本実施形態では、表示制御部２４は、可動機構の異常停止が発生していないときに液晶ディスプレイ１１に通常表示される複数の表示情報のうち、あらかじめ定められた一部の表示情報を非重畳表示位置に表示させるように制御する。すなわち、一部の表示情報としてどの情報を表示させるのかが異常時の表示パターンデータとして異常時表示パターンデータ記憶部２３に記憶されている。
【００３６】
表示制御部２４が可動機構の異常発生時において非重畳表示位置に表示させる一部の情報は、走行速度の情報、シフトポジションの情報および警告灯の情報である。これらの情報は、走行の安全上特に重要なものだからである。一方、エンジン回転数の情報と走行案内情報については、可動機構の異常発生時には液晶ディスプレイ１１に表示させない。
【００３７】
また、表示制御部２４は、可動機構の異常停止が発生していないときに液晶ディスプレイ１１に通常表示される態様のままで表示情報を表示させるのではなく、表示情報の表示態様を変えて表示させるように制御する。どのような表示態様で表示情報を表示させるのかについても、異常時の表示パターンデータとして異常時表示パターンデータ記憶部２３に記憶されている。
【００３８】
図２は、可動機構の異常発生時における液晶ディスプレイ１１の表示例を示す図である。図２に示す位置で装飾リング１２が異常停止した場合、表示制御部２４は、走行速度の情報、シフトポジションの情報および警告灯の情報を、非重畳表示位置の表示可能面積内に、可動機構の異常停止が発生していないときに液晶ディスプレイ１１に通常表示される態様とは異なる態様で表示させる。
【００３９】
具体的には、走行速度の情報については、円形の実体メータを模した態様ではく、表示情報入力部２１により入力された走行速度情報で示される該当速度の数字５１のみとして表示させるように制御する。また、シフトポジション情報に関しては、表示情報入力部２１により入力されたシフトポジション情報で示される該当ポジションの文字５２のみとして表示させるように制御する。また、警告灯の情報に関しては、表示情報入力部２１により入力された警告情報で示される該当警告の警告灯５３のみとして表示させるように制御する。
【００４０】
走行速度の情報５１、シフトポジションの情報５２、警告灯の情報５３をそれぞれ液晶ディスプレイ１１上のどこに表示するかは、異常時の表示パターンデータで示される各表示情報のサイズと、非重畳表示位置検出部２７により検出される非重畳表示位置での表示可能面積とに基づいて表示制御部２４が決定する。すなわち、表示制御部２４は、異常時の表示パターンデータで示されるサイズが表示可能面積内に収まる位置に各表示情報を表示させる。表示可能面積内に収まる位置であれば任意であるが、例えば液晶ディスプレイ１１の四隅の位置に優先して各表示情報を表示させる。
【００４１】
ここで、表示制御部２４は、表示可能面積が狭くて当該表示可能面積内に表示情報を異常時の表示パターンデータ通りのサイズで表示させることができないものがある場合に、その表示情報を表示可能面積内に収まるように縮小して表示させるようにしてもよい。
【００４２】
図３は、上記のように構成した本実施形態による表示制御装置２０の動作例を示すフローチャートである。図３に示すフローチャートは、ＡＣＣをオンにしたときに開始する。なお、ＡＣＣがオフにされたときは、液晶ディスプレイ１１の表示は全て消去されるので、表示制御装置２０による表示制御は不要である。
【００４３】
ＡＣＣがオンされると、まず、表示制御部２４は、正常時表示パターンデータ記憶部２２に記憶されている正常時の表示パターンデータに基づいて、表示情報入力部２１により入力される表示情報を液晶ディスプレイ１１に表示させる（ステップＳ１）。
【００４４】
次に、異常検出部２５は、可動機構の異常停止が発生したか否かを判定する（ステップＳ２）。ここで、可動機構の異常発生が検出されない場合、停止位置検出部２６は、装飾リング１２がメータ位置に到達したか否かを判定する（ステップＳ３）。
【００４５】
装飾リング１２がメータ位置に到達したことを停止位置検出部２６が検出した場合、図３に示すフローチャートの処理は終了する。一方、装飾リング１２がまだメータ位置に到達していない場合、処理はステップＳ２に戻る。このステップＳ２で可動機構の異常発生が検出された場合、停止位置検出部２６は、装飾リング１２の停止位置を検出する（ステップＳ４）。
【００４６】
続いて、非重畳表示位置検出部２７は、停止位置検出部２６により検出された装飾リング１２の停止位置に基づいて、装飾リング１２と重畳しない液晶ディスプレイ１１上の表示位置である非重畳表示位置を検出する（ステップＳ５）。そして、表示制御部２４は、正常時の表示パターンを異常時の表示パターンに切り替えて、表示情報入力部２１により入力されている表示情報の一部を液晶ディスプレイ１１に表示させる（ステップＳ６）。
【００４７】
すなわち、表示制御部２４は、異常時表示パターンデータ記憶部２３に記憶されている異常時の表示パターンデータに基づいて、非重畳表示位置検出部２７により検出された非重畳表示位置に対して表示情報の一部を表示させるように制御する。これにより、図３に示すフローチャートの処理は終了する。
【００４８】
以上詳しく説明したように、本実施形態では、液晶ディスプレイ１１の前面にて装飾リング１２を物理的に移動させる可動機構の異常停止を検出した場合に、装飾リング１２の停止位置から、装飾リング１２と重畳しない液晶ディスプレイ１１上の表示位置である非重畳表示位置を検出し、当該非重畳表示位置に対して表示情報の一部を表示させるようにしている。
【００４９】
このように構成した本実施形態によれば、装飾リング１２の移動中に可動機構が動作不能となった場合でも、想定外の位置で停止した装飾リング１２と重畳しない液晶ディスプレイ１１上の位置にメータパネルの情報が表示されるので、当該情報が装飾リング１２に隠されて見えなくなってしまう不都合を回避し、メータパネルの情報を液晶ディスプレイ１１に分かりやすく表示させることができる。
【００５０】
本実施形態では、可動機構の正常時に表示される各種表示情報のうち、走行の安全上重要な一部の表示情報に絞って非重畳表示位置に表示させている。また、本実施形態では、可動機構の正常時に表示される態様そのままではなく、異常時専用の簡略化された態様に変えて表示情報の一部を非重畳表示位置に表示させている。これにより、装飾リング１２が想定外の位置で停止したために非重畳表示位置の表示可能面積を大きくとれない場合でも、重要な表示情報については液晶ディスプレイ１１に分かりやすく表示させることができる。
【００５１】
なお、上記実施形態では、可動機構付きメータパネル１０に液晶ディスプレイ１１を用いる例について説明したが、本発明はこれに限定されない。電子処理として情報の表示を制御することが可能なディスプレイであれば、有機ＥＬディスプレイやプラズマディスプレイなど他のディスプレイであってもよい。
【００５２】
また、上記実施形態では、装飾部材の一例として円形の装飾リング１２を用いる例について説明したが、本発明はこれに限定されない。ディスプレイの前面にて移動する装飾部材であれば、形状や大きさは特に不問である。
【００５３】
また、上記実施形態では、ＡＣＣをオンまたはオフにしたときに装飾リング１２が図４のように移動する例について説明したが、装飾リング１２が移動を開始するタイミングや移動方法についてはこの例に限定されない。
【００５４】
また、上記実施形態では、表示制御部２４が非重畳表示位置に表示させる表示情報として、走行速度の情報、シフトポジションの情報、警告灯の情報の３つを例に挙げて説明したが、本発明はこれに限定されない。これら３つのうち少なくとも１つの情報であってもよいし、これ以外の情報であってもよい。
【００５５】
また、上記実施形態では、可動機構の異常発生時には、簡略化された異常時の表示パターンに従って表示情報を表示させる例について説明したが、本発明はこれに限定されない。例えば、表示制御部２４は、簡略化されていない正常時の表示パターンに従って非重畳表示位置の表示可能面積内に表示情報を表示可能なときは、正常時の表示パターンに従って表示情報を表示させるようにしてもよい。
【００５６】
また、上記実施形態では、非重畳表示位置の表示可能面積内に異常時のパターンデータ通りのサイズで表示情報を表示させることができない場合に、表示情報を表示可能面積内に収まるように縮小して表示させる例について言及したが、本発明はこれに限定されない。例えば、異常時表示パターンデータ記憶部２３に記憶される異常時の表示パターンデータにサイズ情報を持たせず、非重畳表示位置の表示可能面積内にちょうど収まるサイズに調整して表示情報を表示させるようにしてもよい。
【００５７】
あるいは、次のようにしてもよい。すなわち、表示制御部２４は、簡略化されていない正常時の表示パターンに従って非重畳表示位置の表示可能面積内に表示情報を表示可能なときは、正常時の表示パターンに従って表示情報を表示させる。一方、それができない場合に、正常時に通常の態様で表示される表示情報を表示可能面積内に収まるように縮小して表示させたり、あるいは、異常時専用の簡略化された表示パターンに従って表示情報を非重畳表示位置の表示可能面積内に表示させたりする。
【００５８】
また、上記実施形態では、装飾リング１２の外側において非重畳表示位置を検出する例について説明したが、装飾リング１２の内側において非重畳表示位置を検出するようにしてもよい。
【００５９】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００６０】
１０  可動機構付きメータパネル
１１  液晶ディスプレイ
１２  装飾リング
２０  表示制御装置
２４  表示制御部
２５  異常検出部
２６  停止位置検出部
２７  非重畳表示位置検出部
【図１】
2014109541.tif 000003
【図２】
2014109541.tif 000004
【図３】
2014109541.tif 000005
【図４】
2014109541.tif 000006